(57)【特許請求の範囲】
【請求項１】
所定のトラックピッチで形成されたグルーブ及びランドと、所定の開口数（ＮＡ）の対物レンズで収束された所定波長（λ）のスポット光により前記グルーブの走査される方向に沿って所定間隔で前記ランドに形成されたランドプリピットとを有し、情報記録又は情報再生の際に前記グルーブに位置合わせして照射される前記スポット光により前記グルーブと共に前記ランドプリピットが走査される情報記録媒体である光ディスクにおいて、
前記グルーブの前記走査される方向に対して略直交する方向におけるグルーブ幅（Ｇw）と、前記各々のランドプリピットの前記走査される方向におけるプリピット長（Ｌp）が、
Ｇw／（λ／ＮＡ）＝0.2093｛Ｌp／（λ／ＮＡ）｝2  −0.4342Ｌp／（λ／ＮＡ）+0.332
の関係を満たしていること、
を特徴とする光ディスク。
【請求項２】
所定のトラックピッチで形成されたグルーブ及びランドと、所定の開口数（ＮＡ）の対物レンズで収束された所定波長（λ）のスポット光により前記グルーブの走査される方向に沿って所定間隔で前記ランドに形成されたランドプリピットとを有し、情報記録又は情報再生の際に前記グルーブに位置合わせして照射される前記スポット光により前記グルーブと共に前記ランドプリピットが走査される情報記録媒体である光ディスクにおいて、
前記グルーブの前記走査される方向に対して略直交する方向におけるグルーブ幅（Ｇw）と、前記各々のランドプリピットの前記走査される方向におけるプリピット長（Ｌp）と、前記グルーブと前記ランドとの厚み方向のグルーブ深さ（Ｇd；単位μｍ）が、
Ｇw／（λ／ＮＡ）≧0.2093｛Ｌp／（λ／ＮＡ）｝2  −0.4342Ｌp／（λ／ＮＡ）+0.332−（−2.64Ｇd＋0.1276）
且つ、
Ｇw／（λ／ＮＡ）≦0.2093｛Ｌp／（λ／ＮＡ）｝2 −0.4342Ｌp／（λ／ＮＡ）+0.332＋（−4.48Ｇd＋0.2112）
の関係を満たしていること、
を特徴とする光ディスク。
【請求項３】
所定のトラックピッチで形成されたグルーブ及びランドと、所定波長（λ）のスポット光により前記グルーブの走査される方向に沿って所定間隔で前記ランドに形成されたランドプリピットとを有し、前記グルーブに位置合わせして照射される前記スポット光により前記グルーブと共に前記ランドプリピットが走査される情報記録媒体である光ディスクに対して、情報記録又は情報再生を行う記録再生装置において、
前記所定波長（λ）の光を射出する光源と、
前記光源からの光を収束して前記スポット光を生じさせる、所定開口数（ＮＡ）の対物レンズとを有し、
前記波長（λ）と開口数（ＮＡ）は、
前記グルーブの前記走査の方向に対して略直交する方向におけるグルーブ幅（Ｇw）と、前記各々のランドプリピットの前記走査の方向におけるプリピット長（Ｌp）に対して、
Ｇw／（λ／ＮＡ）＝0.2093｛Ｌp／（λ／ＮＡ）｝2  −0.4342Ｌp／（λ／ＮＡ）+0.332
の関係に設定されていること、
を特徴とする記録再生装置。
【請求項４】
所定のトラックピッチで形成されたグルーブ及びランドと、所定波長（λ）のスポット光により前記グルーブの走査される方向に沿って所定間隔で前記ランドに形成されたランドプリピットとを有し、前記グルーブに位置合わせして照射される前記スポット光により前記グルーブと共に前記ランドプリピットが走査される情報記録媒体である光ディスクに対して、情報記録又は情報再生を行う記録再生装置において、
前記所定波長（λ）の光を射出する光源と、
前記光源からの光を収束して前記スポット光を生じさせる、所定開口数（ＮＡ）の対物レンズとを有し、
前記波長（λ）と開口数（ＮＡ）は、
前記グルーブの前記走査の方向に対して略直交する方向におけるグルーブ幅（Ｇw）と、前記各々のランドプリピットの前記走査の方向におけるプリピット長（Ｌp）と、前記グルーブと前記ランドとの厚み方向のグルーブ深さ（Ｇd；単位μｍ）に対して、
Ｇw／（λ／ＮＡ）≧0.2093｛Ｌp／（λ／ＮＡ）｝2 −0.4342Ｌp／（λ／ＮＡ）+0.332−（−2.64Ｇd＋0.1276）
且つ、
Ｇw／（λ／ＮＡ）≦0.2093｛Ｌp／（λ／ＮＡ）｝2 −0.4342Ｌp／（λ／ＮＡ）+0.332＋（−4.48Ｇd＋0.2112）
の関係に設定されていること、
を特徴とする記録再生装置。
【請求項５】
前記光ディスクはＤＶＤ−Ｒであること、を特徴とする請求項１又は２に記載の光ディスク。
【請求項６】
前記光ディスクはＤＶＤ−Ｒであること、を特徴とする請求項３又は４に記載の記録再生装置。
【発明の詳細な説明】
【０００１】
【発明の属する技術分野】
本発明は、情報の書き込みが可能な光ディスク等の記録再生媒体と、その記録再生媒体を用いる記録再生装置に関するものである。
【０００２】
【従来の技術】
従来、この種の記録再生媒体として、映像や音声、コンピュータデータ等のマルチメディア情報を高密度記録することが可能なＤＶＤ（デジタルビデオディスク又はデジタルバーサタイルディスク）が知られている。
【０００３】
また、ＤＶＤには、先駆けて普及した再生専用のＤＶＤ−ＲＯＭのほか、記録再生が可能なＤＶＤ−Ｒ（追記型ＤＶＤ）と、再書き込みが可能な記録再生型のＤＶＤ−ＲＷが知られている。
【０００４】
ＤＶＤ−ＲとＤＶＤ−ＲＷでは、グルーブ（Groove）に情報を高精度且つ高密度で記録するために、物理フォーマットとして、グルーブ間のランド（Land）に、予めアドレス等の各種情報が設定されたランドプリピット（Land pre-pit）と呼ばれるピットを形成しておく方式が提案されている（特開平９−１７０２９号公報）。
【０００５】
すなわち、この方式のＤＶＤ−ＲとＤＶＤ−ＲＷは、ランドプリピットがグルーブに隣接して形成されている。このため、グルーブ上に光スポットを位置づけて走査すると、ランドプリピット上にも光スポットが入射する状態が生じることとなり、ランドプリピットからの反射光を光検出器などで検出することで、アドレス等の各種情報を有する検出信号を生成できるようになっている。
【０００６】
【発明が解決しようとする課題】
ところで、上記方式を採用するＤＶＤ−ＲとＤＶＤ−ＲＷでは、ランドプリピットがグルーブに隣接して形成されているため、光スポットをグルーブ上に位置づけて走査すると、光スポットがランドプリピットに入射するときには、必然的にグルーブにも入射することとなる。
【０００７】
したがって、上記の反射光には、ランドプリピットからの反射光だけでなくグルーブからの反射光が含まれることとなり、光検出器等から出力される検出信号にも、ランドプリピットからの反射光成分だけでなくグルーブからの反射光成分が含まれることになる。
【０００８】
このため、ランドプリピットからの反射光成分に対してグルーブからの反射光成分が雑音として作用し、検出信号中からランドプリピットの情報を高精度で検出することが困難となる場合が考えられる。
【０００９】
また、これとは逆に、グループに記録されている情報を上記の光スポットによる走査で読み取る場合には、ランドプリピットからの反射光の光量に較べて、グルーブからの反射光の光量変化が小さいと、グルーブからの反射光成分に対してランドプリピットからの反射光成分が雑音として作用し、上記の検出信号中からグルーブの情報を高精度で検出することが困難となる場合が考えられる。
【００１０】
このように、グルーブとランドプリピットで反射されるそれぞれの反射光の光量が適切でないと、グルーブの情報とランドプリピットの情報を最適状態で検出することができなくなり、ひいては、高精度且つ高密度の記録・再生にとって阻害要因となることが考えられる。
【００１１】
しかしながら、従来は、このような発症原因と最適化に関する十分な研究がなされていたとはいえなかった。
【００１２】
本発明は、このような新たな課題を提起してなされたものであり、グルーブとランドプリピット及び光スポットに関する相互間での最適条件を満足する構造を有して高精度且つ高密度での記録再生を安定的に実現し得る記録再生媒体と、その記録再生媒体を用いる記録再生装置を提供することを目的とするものである。
【００１３】
【課題を解決するための手段】
請求項１に記載の発明は、所定のトラックピッチで形成されたグルーブ及びランドと、所定の開口数（ＮＡ）の対物レンズで収束された所定波長（λ）のスポット光により前記グルーブの走査される方向に沿って所定間隔で前記ランドに形成されたランドプリピットとを有し、情報記録又は情報再生の際に前記グルーブに位置合わせして照射される前記スポット光により前記グルーブと共に前記ランドプリピットが走査される情報記録媒体である光ディスクにおいて、前記グルーブの前記走査される方向に対して略直交する方向におけるグルーブ幅（Ｇw）と、前記各々のランドプリピットの前記走査される方向におけるプリピット長（Ｌp）が、Ｇw／（λ／ＮＡ）＝0.2093｛Ｌp／（λ／ＮＡ）｝2 −0.4342Ｌp／（λ／ＮＡ）+0.332の関係を満たしていること、を特徴とする。
請求項２に記載の発明は、所定のトラックピッチで形成されたグルーブ及びランドと、所定の開口数（ＮＡ）の対物レンズで収束された所定波長（λ）のスポット光により前記グルーブの走査される方向に沿って所定間隔で前記ランドに形成されたランドプリピットとを有し、情報記録又は情報再生の際に前記グルーブに位置合わせして照射される前記スポット光により前記グルーブと共に前記ランドプリピットが走査される情報記録媒体である光ディスクにおいて、前記グルーブの前記走査される方向に対して略直交する方向におけるグルーブ幅（Ｇw）と、前記各々のランドプリピットの前記走査される方向におけるプリピット長（Ｌp）と、前記グルーブと前記ランドとの厚み方向のグルーブ深さ（Ｇd；単位μｍ）が、Ｇw／（λ／ＮＡ）≧0.2093｛Ｌp／（λ／ＮＡ）｝2 −0.4342Ｌp／（λ／ＮＡ）+0.332−（−2.64Ｇd＋0.1276）且つ、Ｇw／（λ／ＮＡ）≦0.2093｛Ｌp／（λ／ＮＡ）｝2 −0.4342Ｌp／（λ／ＮＡ）+0.332＋（−4.48Ｇd＋0.2112）の関係を満たしていること、を特徴とする。
【００１４】
請求項３に記載の発明は、所定のトラックピッチで形成されたグルーブ及びランドと、所定波長（λ）のスポット光により前記グルーブの走査される方向に沿って所定間隔で前記ランドに形成されたランドプリピットとを有し、前記グルーブに位置合わせして照射される前記スポット光により前記グルーブと共に前記ランドプリピットが走査される情報記録媒体である光ディスクに対して、情報記録又は情報再生を行う記録再生装置において、前記所定波長（λ）の光を射出する光源と、前記光源からの光を収束して前記スポット光を生じさせる、所定開口数（ＮＡ）の対物レンズとを有し、前記波長（λ）と開口数（ＮＡ）は、前記グルーブの前記走査の方向に対して略直交する方向におけるグルーブ幅（Ｇw）と、前記各々のランドプリピットの前記走査の方向におけるプリピット長（Ｌp）に対して、Ｇw／（λ／ＮＡ）＝0.2093｛Ｌp／（λ／ＮＡ）｝2 −0.4342Ｌp／（λ／ＮＡ）+0.332の関係に設定されていること、を特徴とする。
請求項４に記載の発明は、所定のトラックピッチで形成されたグルーブ及びランドと、所定波長（λ）のスポット光により前記グルーブの走査される方向に沿って所定間隔で前記ランドに形成されたランドプリピットとを有し、前記グルーブに位置合わせして照射される前記スポット光により前記グルーブと共に前記ランドプリピットが走査される情報記録媒体である光ディスクに対して、情報記録又は情報再生を行う記録再生装置において、前記所定波長（λ）の光を射出する光源と、前記光源からの光を収束して前記スポット光を生じさせる、所定開口数（ＮＡ）の対物レンズとを有し、前記波長（λ）と開口数（ＮＡ）は、前記グルーブの前記走査の方向に対して略直交する方向におけるグルーブ幅（Ｇw）と、前記各々のランドプリピットの前記走査の方向におけるプリピット長（Ｌp）と、前記グルーブと前記ランドとの厚み方向のグルーブ深さ（Ｇd；単位μｍ）に対して、Ｇw／（λ／ＮＡ）≧0.2093｛Ｌp／（λ／ＮＡ）｝2 −0.4342Ｌp／（λ／ＮＡ）+0.332−（−2.64Ｇd＋0.1276）且つ、Ｇw／（λ／ＮＡ）≦0.2093｛Ｌp／（λ／ＮＡ）｝2 −0.4342Ｌp／（λ／ＮＡ）+0.332＋（−4.48Ｇd＋0.2112）の関係に設定されていること、を特徴とする。
【００１７】
【発明の実施の形態】
以下、本発明の実施の形態を図面を参照して説明する。尚、光ディスクであるＤＶＤ−ＲとＤＶＤ−ＲＷの実施形態について説明する。図１（ａ）は、本実施形態のＤＶＤ−ＲとＤＶＤ−ＲＷの基本構造を模式的に示す斜視図、図１（ｂ）は、本実施形態のＤＶＤ−ＲとＤＶＤ−ＲＷのラジアル方向の縦断面構造を模式的に示す断面図である。
【００１８】
図１（ａ）において、ＤＶＤ−ＲとＤＶＤ−ＲＷ（以下、これらを光ディスクと総称する）の情報が書き込まれる領域、すなわち、リードインとリードアウト及びプログラム領域には、グルーブ１が、本光ディスクの回転中心に設けられている所謂クランピングエリア（図示略）を中心とする螺旋状の連続したトラックに沿って、又はクランピングエリアを中心とする同心円状の多数トラックに沿って、一定のトラックピッチで形成されている。
【００１９】
更に、上記の螺旋状のトラックと同心円状のトラックの何れのトラックに沿って形成される場合にも、光走査方向θtに対して略直交する方向（ラジアル方向）θrの縦断面を見ると、同図（ｂ）に示すように、多数のグルーブ１が一定のトラックピッチで形成された構造となっている。
【００２０】
グルーブ１のそれぞれの両側には、ラジアル方向θrにおける各グルーブ１の間を分離するためのランド２が併設されている。また、ランド２には、物理フォーマットとして、アドレス等の各種情報が予め設定されたランドプリピット３が、線走査方向θtに沿って所定間隔で形成されている。
【００２１】
グルーブ１とランド２及びランドプリピット３は、ポリカーボネート等の透明樹脂を材料とする透明基板４上に形成され、グルーブ１とランド２及びランドプリピット３の下面には、有機色素や無機金属を材料とする記録層５と、アルミ蒸着や金蒸着による反射層６が積層され、更に、反射層６の下面にはＵＶ硬化性樹脂（紫外線硬化性樹脂）等を材料とする保護層７が形成されている。
【００２２】
そして、記録又は再生のための光が、光ピックアップ装置等に設けられている対物レンズ８を通して、透明基板４側からグルーブ１上にスポット照射されるようになっている。
【００２３】
かかる構造の光ディスクにおいて、グルーブ１のラジアル方向θrにおける幅（以下、グルーブ幅という）Ｇwと、ランドプリピット３の線走査方向θtにおける長さ（以下、プリピット長という）Ｌpと、ランド２の底面からグルーブ１の頂面までの高さ（以下、グルーブ深さという）Ｇdが、後述する最適条件を満足するように予め設定されている。
【００２４】
次に、本光ディスクを用いて情報記録と情報再生を行うための原理について図２（ａ）（ｂ）を参照して説明する。
【００２５】
図２（ａ）において、光ピックアップ装置等により、光源であるレーザダイオードから射出される所定波長λの光をコリメータレンズで集光し、更にこのコリメータレンズから射出される光を図１（ａ）中に示す対物レンズ８で収束してグルーブ１の頂面上を照射することにより、略円形状の光スポットＳＰがグルーブ１の中心（グルーブ幅Ｇwの中心）に合わせて結ばれるようにする。
【００２６】
そして、本光ディスクを回転させることにより、光スポットＳＰをグルーブ１に位置づけて相対的に線走査方向θtに沿って走査させる。また、光スポットＳＰの直径ｒをグルーブ幅Ｇwより大きくすることで、光スポットＳＰが部分的にランドプリピット３に照射されるようにする。
【００２７】
更に、光スポットＳＰをグルーブ１に位置づけて相対的に線走査方向θtに沿って走査させる際に、光スポットＳＰがグルーブ１又はグルーブ１及びランドプリピット３の両方で反射されて生じる反射光を対物レンズ８で集光し、その集光された反射光を、図２（ｂ）に示すような光検出器９で受光し、更に、光検出器９から出力される検出信号を加減算回路１０，１１，１２等で信号処理することにより、ランドプリピット検出信号ＳLpとトラッキングエラー信号ＳTE及びＲＦ信号ＳRF等を生成させる。
【００２８】
ここで、光検出器９は、一例として、幾何学的に同一形状で受光感度が共に等しい４個の受光領域９Ａ，９Ｂ，９Ｃ，９Ｄを有する受光素子等で形成する場合を示している。この場合には、これらの受光領域９Ａ，９Ｂ，９Ｃ，９Ｄの中心位置に、光スポットＳＰによる反射光の中心が来るように予め調整しておく。
【００２９】
すなわち、図２（ａ）（ｂ）中に模式的に示すように、光スポットＳＰの４等分された各領域Ａ，Ｂ，Ｃ，Ｄからの反射光が各受光領域９Ａ，９Ｂ，９Ｃ，９Ｄに対応づけて入射するようにする。尚、領域ＡとＤは、光スポットＳＰがグルーブ１だけに当たる領域、領域ＢとＣは、光スポットＳＰがグルーブ１だけでなくランドプリピット３にも当たる領域を示している。
【００３０】
加減算回路１０は、光検出器９から各受光領域毎に出力される検出信号Ａ，Ｂ，Ｃ，Ｄについて、（Ａ＋Ｄ）−（Ｂ＋Ｃ）の演算を行い、この演算結果を所定カットオフ周波数のハイパスフィルタに供給することで、ランドプリピット３からの情報を表すランドプリピット検出信号ＳLpを生成する。加減算回路１１は、（Ａ＋Ｄ）−（Ｂ＋Ｃ）の演算を行うことにより、トラッキングサーボ用のトラッキングエラー信号ＳTEを生成し、加減算回路１２は、（Ａ＋Ｂ＋Ｃ＋Ｄ）の演算を行うことにより、グルーブ１の情報を表すＲＦ信号ＳRFを生成するように構成する。
【００３１】
次に、グルーブ１のグルーブ幅Ｇwと、ランドプリピット３の線走査方向θtにおけるプリピット長Ｌpと、ランド２の底面からグルーブ１の頂面までのグルーブ深さＧdの最適条件について説明する。
【００３２】
図２（ｂ）を参照して説明した原理に基づいてランドプリピット検出信号ＳLpとＲＦ信号ＳRF等を生成する一般的な記録再生装置では、光スポットＳＰがグルーブ１とランドプリピット３に同時に結ばれると、発明が解決しようとする課題において前述したような問題が発生することが考えられる。
【００３３】
そこで、本発明者は、光ディスクの構造を最適設計する前に、問題の発症原因を確認するために、図３（ａ）〜（ｃ）に示すような実験結果を求めた。
【００３４】
図３（ａ）〜（ｃ）は、ランドプリピット３を備えたＤＶＤ−ＲＷについて、光スポットＳＰの波長λと対物レンズ８の  開口数ＮＡ及び線走査速度をそれぞれ一定にしておき、図２（ｂ）の光検出器９と加減算器１０，１２によって実験的に得られた未記録部のランドプリピット検出信号ＳLpとＲＦ信号ＳRFの振幅変化を計測したものである。尚、横軸は時間、縦軸は電圧であり、これらの信号ＳLpとＳRFの相対的な変動を示すために、各ディメンジョンを等しくしている。
【００３５】
更に、同図（ａ）は、プリピット長Ｌpを０．３μｍ、グルーブ幅Ｇwを０．２５μｍに設定した場合を示し、同図（ｂ）は、Ｌp＝０．３μｍ、Ｇw＝０．３０μｍに設定した場合、同図（ｃ）は、Ｌp＝０．３μｍ、Ｇw＝０．４０μｍに設定した場合を示している。
【００３６】
これらの実験結果から、プリピット長Ｌpとグルーブ幅Ｇwが異なると、ランドプリピット３に光スポットＳＰが照射された時点ｔにおけるそれぞれの信号ＳLp，ＳRFの電圧振幅が変動することが確認された。
【００３７】
更に、図４（ａ）〜（ｃ）のそれぞれは、グルーブ１に情報が書き込まれている光ディスクから読み出したランドプリピット検出信号ＳLpとＲＦ信号ＳRFの振幅変化を、図３（ａ）〜（ｃ）に対応させて示したものである。図４（ａ）〜（ｃ）の実験結果から明らかなように、プリピット長Ｌpとグルーブ幅Ｇwが異なると、記録済みの光ディスクの場合にも、ランドプリピット３に光スポットＳＰが照射された時点におけるそれぞれの信号ＳLp，ＳRFの電圧振幅が変動することが確認された。
【００３８】
そして、この変動原因がグルーブ１とランドプリピット３及び光スポットＳＰの大きさとの相関関係に基づいていること着目して、グルーブ幅Ｇwとプリピット長Ｌp及びグルーブ深さＧdの幾何学的関係を、光スポットＳＰの大きさと連関させて最適化することとした。
【００３９】
まず、最適条件の結論を説明すると、対物レンズ８の開口数ＮＡと光スポットＳＰの波長λとの比（λ／ＮＡ）でその光スポットＳＰの大きさと近似し直径ｒとし、更に、直径ｒとグルーブ幅Ｇwとの比（Ｇw／ｒ）が、次式（１）（２）を同時に満足する範囲内になるように、上記のグルーブ幅Ｇw、プリピット長Ｌp、グルーブ深さＧd（但し、単位はμｍ）、開口数ＮＡ及び波長λを決定することにより、光ディスクを最適設計することができる。
【００４０】
Ｇw／（λ／ＮＡ）≧0.2093｛Ｌp／（λ／ＮＡ）｝2
−0.4342Ｌp／（λ／ＮＡ）+0.332−（−2.64Ｇd＋0.1276）  …（１）
Ｇw／（λ／ＮＡ）≦0.2093｛Ｌp／（λ／ＮＡ）｝2
−0.4342Ｌp／（λ／ＮＡ）+0.332＋（−4.48Ｇd＋0.2112）  …（２）
上記式（１）（２）の条件にしたがって光ディスクを設計すると、図２（ｂ）に示したような一般的な記録再生装置に適用した場合に、光スポットＳＰがグルーブ１とランドプリピット３に同時に照射されたときでも、その反射光からランドプリピット検出信号ＳLpとＲＦ信号ＳRFを高い精度で検出することが可能となる。
【００４１】
次に、図５〜図１３を参照して、上記式（１）（２）を検証する。
図５〜図８は、グルーブ幅Ｇw、プリピット長Ｌp、グルーブ深さＧd、波長λ及び開口数ＮＡを様々に変化させ、それによって得られたランドプリピット検出信号ＳRFをどの程度高い精度で検出することができたかを実験によって求めた特性図である。
【００４２】
尚、これらの図５〜図８において、ランドプリピット検出信号ＳLPとＲＦ信号ＳRFをどの程度高い精度で検出することができたか判定するための基準として、横軸をグルーブ幅Ｇwに対する直径ｒの比、すなわち、Ｇw／（λ／ＮＡ）とし、縦軸をＲＦ信号ＳRFのオフセットレベル（offset）に対するランドプリピット検出信号ＳLpの電圧振幅（LPP level）の比（LPP level／offset）とし、更に、グルーブ深さＧdとプリピット長Ｌpを変化させることとした。ここで、比（LPP level／offset）とは、ランドプリピット検出信号ＳLpの電圧振幅（LPP level）を分子、ＲＦ信号ＳRFのオフセットレベル（offset）を分母として定義されるものである。
【００４３】
また、オフセットレベル（offset）は、図３（ａ）〜（ｃ）に示したＲＦ信号ＳRFの交流成分をＲＦ信号ＳRFの直流成分で規格化したパラメータ、電圧振幅（LPP level）は、ランドプリピット検出信号ＳLpをＲＦ信号ＳRFの直流成分で規格化したパラメータである。
【００４４】
より具体的には、ＲＦ信号ＳRFの交流成分をＳRF(AC)で表すものとすると、オフセットレベル（offset）は次式（３）で、電圧振幅（LPP level）は次式（４）で、更に、比（LPP level／offset）は次式（５）でそれぞれ表される。
offset＝（ＳRF(AC)／ＳRF）  …(3)
LPP level＝（ＳLP／ＳRF） …(4)
LPP level／offset＝（ＳLP／ＳRF(AC)） …(5)
そして、図５〜図８において、グルーブＧdを２０ｎｍ〜３５ｎｍの範囲で５ｎｍずつ変化させ、更に、図５は、Ｌp／（λ／ＮＡ）＝０．１２８に設定し、図６は、Ｌp／（λ／ＮＡ）＝０．２５１５に設定し、図７は、Ｌp／（λ／ＮＡ）＝０．３８１５に設定し、図８は、Ｌp／（λ／ＮＡ）＝０．５０５にそれぞれ設定して計測したときの結果を示している。
【００４５】
これらの図５〜図８から明らかなように、ランドプリピット検出信号ＳLpとＲＦ信号ＳRFをどの程度高い精度で検出できたか表す「 LPP level／offset」の値が約１０のときを境にして計測結果が大きく変化し、「 LPP level／offset」が最大値になるときが、最も良い設計条件であることが確認された。
【００４６】
すなわち、 LPP level／offset≒１０が、ランドプリピット検出信号ＳLpとＲＦ信号ＳRFとを高い精度で検出するための変曲点であることが確認された。このように、２つの変曲点の範囲内では、得られる特性が良いので、この範囲内の値を使うことで、良好な記録媒体が得られる。
【００４７】
そこで、これらの図５〜図８に示す実験結果に基づいて、グルーブ深さＧdをパラメータとしたときのＬp／（λ／ＮＡ）とＧw／（λ／ＮＡ）の関係を求めたのが、図９〜図１２に示す特性図である。
【００４８】
尚、図９〜図１２において、１点鎖線で示す曲線Ｇwoは、図５〜図８中の「LPP level／offset」が最大値になる場合をプロットして示し、２点鎖線で示す曲線Ｇ+と実線で示す曲線Ｇ-は、図５〜図８中の「LPP level／offset」が約１０なる場合をプロットして示したものである。更に、２点鎖線で示す曲線Ｇ+は、図５〜図８中の右側の位置で約１０になる場合、実線で示す曲線Ｇ-は、図５〜図８中の左側の位置で約１０になる場合である。
【００４９】
よって、図９〜図１２において、曲線Ｇ+と曲線Ｇ-で挟まれた範囲Ｇw+とＧw-が、最適設計のための条件であることが分かる。尚、図９〜図１２中の１点鎖線で示す曲線Ｇwoはほとんど変化せず、次式（６）で近似することができる。
Ｇw／（λ／ＮＡ）＝0.2093｛Ｌp／（λ／ＮＡ）｝2
−0.4342Ｌp／（λ／ＮＡ）+0.332      …（６）
また、図９〜図１２により、曲線Ｇ+とＧ-は、曲線Ｇwoを平行移動させたものにほぼ等しいことが分かる。したがって、その平行移動量をそれぞれの範囲Ｇw+とＧw-として、図９〜図１２の結果を、グルーブ幅ＧdとＧw+／（λ／ＮＡ）の関係と、グルーブ深さＧdとＧw-／（λ／ＮＡ）の関係に転写して表すと、図１３に示す結果が得られ、図１３中の曲線Ｇw+と曲線Ｇw-で挟まれた範囲が最適設計のための条件となる。尚、図１３中の曲線Ｇw+は次式（７）で、曲線Ｇw-は次式（８）で近似することができる。
Ｇw/（λ/ＮＡ）＝-4.48Ｇd＋0.2112      …（７）
Ｇw/（λ/ＮＡ）＝-2.64Ｇd＋0.1276      …（８）
そして、図１３の曲線Ｇw+と曲線Ｇw-で挟まれた範囲を求めた結果、上記式（１）（２）が得られた。すなわち、上記式（６）が最も良い設計条件であることから、これを基準として上記式（７）と（８）を適用すると、上記式（１）（２）が最適設計条件として求められる。
【００５０】
このように本実施形態の光ディスクは、上記式（１）（２）の条件に基づいて、グルーブ１のグルーブ幅Ｇwと、ランドプリピット３のプリピット長Ｌpと、グルーブ深さＧdと、光スポットＳＰの大きさ（直径ｒ）の形状が決められているので、グルーブ１とランドプリピット３で反射される反射光を常に最適な光量に設定することができる。すなわち、グルーブ１の情報とランドプリピット３の情報を高精度で検出することができように、グルーブ１とランドプリピット３で反射される反射光を常に最適な光量に設定することができる。そして、グルーブ１の情報とランドプリピット３の情報を高精度で検出することができるため、高密度での記録・再生を安定的に実現し得る光ディスクを提供することができる。
【００５１】
また、上記式（１）（２）に基づいて、記録再生媒体に備えられている光源の射出光の波長と対物レンズの開口数を設定することにより、高密度の光ディスクを用いて安定的に記録・再生を行うための記録再生媒体を実現することができる。
【００５２】
【発明の効果】
以上説明したように本発明によれば、所定開口数の対物レンズで収束された所定波長の光がグルーブに位置づけて走査される記録再生媒体において、グルーブ幅と、プリピット長と、グルーブ深さを、所定の最適条件に基づいて形成したので、グルーブからの反射光とランドプリピットからの反射光のそれぞれの光量が、グルーブの情報とランドプリピットの情報とを最適状態で検出することが可能となり、ひいては高精度且つ高密度での記録・再生を安定的に実現することができる。
【００５３】
また、所定波長の光を射出する光源と、グルーブとグルーブ間のランドにランドプリピットとが形成されている記録再生媒体の上記グルーブに位置づけて、上記光源からの光を収束して走査する所定開口数の対物レンズとを備えた記録再生装置において、上記の波長と開口数を、記録再生媒体のグルーブ幅とランドプリピットのプリピット長と、グルーブとランドとの厚み方向のグルーブ深さに対して、所定の最適条件に基づいて設定したので、グルーブからの反射光とランドプリピットからの反射光のそれぞれの光量を、グルーブの情報とランドプリピットの情報とを最適状態で検出するための光量に設定することができる。この結果、高精度且つ高密度での記録・再生を安定的に実現することができる。
【図面の簡単な説明】
【図１】本実施形態の光ディスクの構造を模式的に示す図である。
【図２】本実施形態の光ディスクからランドプリピットの情報を読み出すための原理を説明するための説明図である。
【図３】未記録状態の光ディスクから読み出したランドプリピット検出信号とＲＦ信号の波形を示す波形図である。
【図４】記録済み状態の光ディスクから読み出したランドプリピット検出信号とＲＦ信号の波形を示す波形図である。
【図５】ランドプリピット検出信号とＲＦ信号とが最適状態で検出されたかを判断するための説明図である。
【図６】更に、ランドプリピット検出信号とＲＦ信号とが最適状態で検出されたかを判断するための説明図である。
【図７】更に、ランドプリピット検出信号とＲＦ信号とが最適状態で検出されたかを判断するための説明図である。
【図８】更に、ランドプリピット検出信号とＲＦ信号とが最適状態で検出されたかを判断するための説明図である。
【図９】更に、ランドプリピット検出信号とＲＦ信号とが最適状態で検出されたかを判断するための説明図である。
【図１０】更に、ランドプリピット検出信号とＲＦ信号とが最適状態で検出されたかを判断するための説明図である。
【図１１】更に、ランドプリピット検出信号とＲＦ信号とが最適状態で検出されたかを判断するための説明図である。
【図１２】更に、ランドプリピット検出信号とＲＦ信号とが最適状態で検出されたかを判断するための説明図である。
【図１３】更に、ランドプリピット検出信号とＲＦ信号とが最適状態で検出されたかを判断するための説明図である。
【符号の説明】
１…グルーブ
２…ランド
３…ランドプリピット
４…透明基板
５…記録層
６…反射層
７…保護層
８…対物レンズ
９…光検出器
１０〜１２…加減算回路
ＳＰ…光スポット
【図１】
0004372867.tif 000002
【図２】
0004372867.tif 000003
【図３】
0004372867.tif 000004
【図４】
0004372867.tif 000005
【図５】
0004372867.tif 000006
【図６】
0004372867.tif 000007
【図７】
0004372867.tif 000008
【図８】
0004372867.tif 000009
【図９】
0004372867.tif 000010
【図１０】
0004372867.tif 000011
【図１１】
0004372867.tif 000012
【図１２】
0004372867.tif 000013
【図１３】
0004372867.tif 000014